(57)【要約】【課題】  杭の周囲に多重構造の被膜を形成することにより、廃棄物層から有害物質を透水基盤層へ連れ込み、汚染水や有害物質の浸出を伴なうことなく杭打設を可能にし、打設後も所定の遮水機能を確保する。【解決手段】  廃棄物処分場の跡地において、杭１の周囲に、内側被膜材２とこれと材質の異なる外側被膜材３とを形成し、杭１を廃棄物層Ａに貫通させる際に、杭１周囲の外側被膜材３と内側被膜材２が共に剥離されず一体となって貫入されるように杭１を打設し、次に、廃棄物層Ａを貫通させた杭１を、遮水基盤層Ｂ内に貫通させる際に、杭１周囲の外側被膜材３は剥離して、その下層の遮水基盤層Ｂに連れ込まれずに廃棄物層Ａに残留させ、内側被膜材２のみが遮水基盤層Ｂへ貫入されるように、廃棄物層Ａに打設するときより遅い速度で杭１を打設する。【選択図】  図２
2005139747.tif 000002
【特許請求の範囲】
【請求項１】
廃棄物処分場の跡地において、表層の廃棄物層（Ａ）から粘性土のような遮水基盤層（Ｂ）を貫通して支持地盤となる透水性地層（Ｃ）まで杭（１）を打ち込む打設方法であって、
前記杭（１）の周囲に、内側被膜材（２）とこれと材質の異なる外側被膜材（３）とを形成し、
前記杭（１）を前記廃棄物層（Ａ）に貫通させる際に、該杭（１）周囲の外側被膜材（３）と内側被膜材（２）が共に剥離されず一体となって貫入されるように該杭（１）を打設し、
次に、前記廃棄物層（Ａ）を貫通させた杭（１）を、前記遮水基盤層（Ｂ）内を貫通させ、前記透水性地層（Ｃ）まで打設する際に、前記杭（１）周囲の外側被膜材（３）は剥離して、前記遮水基盤層（Ｂ）に連れ込まれずに前記廃棄物層（Ａ）に残留させ、内側被膜材（２）のみが前記遮水基盤層（Ｂ）及び前記透水性地層（Ｃ）へ貫入されるように、前記廃棄物層（Ａ）に打設するときより遅い速度で前記杭（１）を打設する、
ことを特徴とする多重被膜材から成る杭の打設方法。
【請求項２】
前記遮水基盤層（Ｂ）を貫通した杭（１）における内側被膜材（２）を、前記遮水基盤層（Ｂ）及び前記透水性地層（Ｃ）において吸水膨潤させる、ことを特徴とする請求項１の多重被膜材から成る杭の打設方法。
【請求項３】
廃棄物処分場の跡地において、表層の廃棄物層（Ａ）から粘性土のような遮水基盤層（Ｂ）を貫通して支持地盤となる透水性地層（Ｃ）まで杭（１）を打ち込む杭（１）の打設方法であって、
前記杭（１）の周囲に、内側被膜材（２）とこれと材質の異なる外側被膜材（３）とを形成し、
前記杭（１）を前記廃棄物層（Ａ）に貫通させる際に、該杭（１）周囲の外側被膜材（３）と内側被膜材（２）が共に剥離されず一体となって貫入されるように前記杭（１）をその内部から冷却しながら打設し、
次に、前記廃棄物層（Ａ）に貫通させた杭（１）を、前記遮水基盤層（Ｂ）内に貫通させ、前記透水性地層（Ｃ）まで打設する際に、前記杭（１）周囲の外側被膜材（３）は剥離して、前記遮水基盤層（Ｂ）に連れ込まれずに前記廃棄物層（Ａ）に残留するように、前記杭（１）をその内部から加温しながら打設する、
ことを特徴とする多重被膜材から成る杭の打設方法。
【請求項４】
前記杭（１）の側面部から前記遮水基盤層（Ｂ）における汚染水・有害物質（Ｐ）の浸出状態を検査する、ことを特徴とする請求項１の多重被膜材から成る杭の打設方法。
【請求項５】
前記杭（１）の先端部から透水性地層（Ｃ）における汚染水・有害物質（Ｐ）の浸出状態を検査する、ことを特徴とする請求項１の多重被膜材から成る杭の打設方法。
【請求項６】
廃棄物処分場の跡地において、表層の廃棄物層（Ａ）から粘性土のような遮水基盤層（Ｂ）を貫通して支持地盤となる透水性地層（Ｃ）まで打ち込まれる杭であって、
前記杭（１）の周囲に形成した内側被膜材（２）と、
前記内側被膜材（２）に重ねて形成した外側被膜材（３）と、を備え、
前記外側被膜材（３）は、前記杭（１）が前記廃棄物層（Ａ）を貫通する際は、前記内側被膜材（２）と一体となって前記杭（１）から剥離することがなく、前記遮水基盤層（Ｂ）内を貫通させる際に容易に剥離されやすい材質を形成したものであり、
前記内側被膜材（２）は、前記杭（１）が前記遮水基盤層（Ｂ）内を貫通し、前記透水性地層（Ｃ）に打ち込まれる際には、剥離しない材質を形成したものであり、打設後は吸水膨張すると共に、検針員・集金員による商品販売方法圧密沈下のような非常に遅い変形速度に対しては容易に剥離されやすい材質を形成したものである、
ことを特徴とする多重被膜材から成る杭構造。
【請求項７】
前記杭（１）に形成した内側被膜材（２）より狭い範囲に前記外側被膜材（３）を形成した、ことを特徴とする請求項６の多重被膜材から成る杭構造。
【請求項８】
前記外側被膜材（３）はアスファルトである、ことを特徴とする請求項６の多重被膜材から成る杭構造。
【請求項９】
前記外側被膜材（３）はゴムである、ことを特徴とする請求項６の多重被膜材から成る杭構造。
【請求項１０】
前記内側被膜材（２）は吸水ポリマーである、ことを特徴とする請求項６の多重被膜材から成る杭構造。
【発明の詳細な説明】
【技術分野】
【０００１】
本発明は、主として管理型廃棄物処分場の跡地に杭を打設する技術に係り、特に遮水機能を損なうことなく遮水基盤を貫通して杭基礎を構築するために杭の周囲に被膜材を多重に形成した多重被膜材から成る杭の打設方法及びその杭構造に関するものである。
【背景技術】
【０００２】
産業廃棄物や一般廃棄物を埋立処分する廃棄物処分場においては、埋立て・貯留されている廃棄物から汚染水や有害物質が滲出することがある。この汚染水や有害物質は、その処分場外の河川、海等の公共水域へ浸出し、又は地下水を汚染することがある。そこで、この汚染水の浸出を防止するために、埋立地の側面又は底面には、不透水性地層が存在することが必要であり、法律上これが無い場合には遮水シート等の遮水工を施さなければならい。
【０００３】
また、海面埋立処分場においては、沿岸部に自然状態で分布する沖積粘性土層を処分場底面の遮水基盤とすることが多い。例えば、透水係数１×１０-5ｃｍ／ｓｅｃの粘性土は、その厚さ５ｍ以上が必要である。
【０００４】
このような処分場の廃止後においても、この遮水基盤を保全する必要があり、遮水基盤を貫通して杭などを打設することが困難な状況にある。埋立完了後には、この遮水工の健全度を保ちつつ、処分場跡地の有効かつ高度な利用が図れることが望まれている。
【０００５】
廃棄物処分場の跡地の有効利用として、図３に示すように、ビル、橋梁等の新設の構造物５１を構築する場合、廃棄物処分場の跡地の基礎地盤の支持力不足から、杭基礎を必要とする場合がある。この場合、処分場内の廃棄物層Ａと遮水基盤層Ｂを貫通して杭５２が透水性地層Ｃまで打ち込まれると、杭５２の打設に伴い杭５２の周面に廃棄物及び汚染物質が付着して、遮水基盤Ｂ及び透水性地層Ｃへ有害物質が連れ込まれるおそれがある。
【０００６】
また、図４に示すように、杭５２を打設した後、杭５２本体と遮水基盤層Ｂとの間に隙間ができ、汚染水や有害物質Ｐがその隙間を通って処分場外へ浸出するおそれがある。
【０００７】
このために、廃棄物処分場の跡地に構造物５１を構築する場合には、杭を用いない構造物に限定されており、跡地そのものが緑地や駐車場などの利用に限定されるなど、跡地の高度かつ有効利用が図られていないのが現状である。
【０００８】
【特許文献１】そこで、杭を打設する技術としては、特開平１１−３３６０６０号「杭施工方法」に、不透水層地盤を貫通して下部透水層地盤に達する杭を打設する場合において、杭打設時又は杭打設後に、上部透水層地盤中の汚染地下水が下部透水層地盤中に流入することを防止する技術が提案されている。これは、置換材料を用いて杭施工領域内部の上部透水層地盤を置換し、杭施工領域中心部への汚染物質の浸入を防止することにより、杭周面の間隙部等を伝わって、汚染地下水中に含有される汚染物質が下部透水層地盤に浸透することを防止して、下部透水層地盤中に含まれる清浄な地下水の汚染を防止する方法である。
【０００９】
【特許文献２】また、特開平１１−３３６０７３号「杭施工方法」に、汚染物質の下部透水層地盤への浸透を防止することが可能となり、打設された杭の間を上記各種の材料により充填することにより、杭打設後における汚染物質の杭施工領域中心部への浸入を防ぎ、下部透水層地盤中に含まれる清浄な地下水の汚染を防止することが可能になる技術が提案されている。この方法は、外挿管を設置することにより、汚染地下水の杭施工領域への浸入を防ぎ、杭打設時における汚染物質の下部透水層地盤への浸透を防止するものである。また、外挿管と打設された杭の間を充填材料により充填することにより、杭打設後における汚染物質の杭施工領域中心部への浸入を防ぎ、下部透水層地盤に含まれる清浄な地下水の汚染を防止するものである。
【発明の開示】
【発明が解決しようとする課題】
【００１０】
しかし、上記従来の杭施工方法では、杭施工の際に置換材料を用いて杭施工領域内部の上部透水層地盤を置換し、杭施工領域中心部への汚染物質の浸入を防止するような複雑な作業工程が必要であり、それらの作業工数が増大するという問題を有していた。
【００１１】
また、最初に外挿管を設置し、外挿管と打設された杭の間を充填材料により充填し、杭打設後における汚染物質の杭施工領域中心部への浸入を防いだ状態で、次に杭を打設する杭施工方法でも、複雑な作業工程が必要であり、それらの作業工数が増大するという問題を有していた。
【００１２】
本発明は、かかる問題点を解決するために創案されたものである。すなわち、本発明の目的は、杭の周囲に多重構造の被膜を形成することにより、廃棄物層から有害物質を透水基盤層へ連れ込み、汚染水や有害物質の浸出を伴なうことなく杭打設を可能にし、打設後も所定の遮水機能を確保することができる多重被膜材から成る杭の打設方法及びその杭構造を提供することにある。
【課題を解決するための手段】
【００１３】
本発明の打設方法によれば、廃棄物処分場の跡地において、表層の廃棄物層（Ａ）から粘性土のような遮水基盤層（Ｂ）を貫通して支持地盤となる透水性地層（Ｃ）まで杭（１）を打ち込む打設方法であって、前記杭（１）の周囲に、内側被膜材（２）とこれと材質の異なる外側被膜材（３）とを形成し、前記杭（１）を前記廃棄物層（Ａ）に貫通させる際に、該杭（１）周囲の外側被膜材（３）と内側被膜材（２）が共に剥離されず一体となって貫入されるように該杭（１）を打設し、次に、前記廃棄物層（Ａ）を貫通させた杭（１）を、前記遮水基盤層（Ｂ）内を貫通させ、前記透水性地層（Ｃ）まで打設する際に、前記杭（１）周囲の外側被膜材（３）は剥離して、前記遮水基盤層（Ｂ）に連れ込まれずに前記廃棄物層（Ａ）に残留させ、内側被膜材（２）のみが前記遮水基盤層（Ｂ）及び前記透水性地層（Ｃ）へ貫入されるように、前記廃棄物層（Ａ）に打設するときより遅い速度で前記杭（１）を打設する、ことを特徴とする多重被膜材から成る杭の打設方法が提供される。
【００１４】
前記遮水基盤層（Ｂ）を貫通した杭（１）における内側被膜材（２）を、前記遮水基盤層（Ｂ）及び前記透水性地層（Ｃ）において吸水膨潤させる、ことが好ましい。
【００１５】
また、廃棄物処分場の跡地において、表層の廃棄物層（Ａ）から粘性土のような遮水基盤層（Ｂ）を貫通して支持地盤となる透水性地層（Ｃ）まで杭（１）を打ち込む杭（１）の打設方法であって、前記杭（１）の周囲に、内側被膜材（２）とこれと材質の異なる外側被膜材（３）とを形成し、前記杭（１）を前記廃棄物層（Ａ）に貫通させる際に、該杭（１）周囲の外側被膜材（３）と内側被膜材（２）が共に剥離されず一体となって貫入されるように前記杭（１）をその内部から冷却しながら打設し、次に、前記廃棄物層（Ａ）を貫通させた杭（１）を、前記遮水基盤層（Ｂ）内に貫通させ、前記透水性地層（Ｃ）まで打設する際に、前記杭（１）周囲の外側被膜材（３）は剥離して、前記遮水基盤層（Ｂ）に連れ込まれずに前記廃棄物層（Ａ）に残留するように、前記杭（１）をその内部から加温しながら打設する、ことができる。
【００１６】
前記杭（１）の側面部から前記遮水基盤層（Ｂ）における汚染水・有害物質（Ｐ）の浸出状態を検査する、ことが好ましい。前記杭（１）の先端部から透水性地層（Ｃ）における汚染水・有害物質（Ｐ）の浸出状態を検査する、ことが好ましい。
【００１７】
本発明の杭構造によれば、廃棄物処分場の跡地において、表層の廃棄物層（Ａ）から粘性土のような遮水基盤層（Ｂ）を貫通して支持地盤となる透水性地層（Ｃ）まで打ち込まれる杭であって、前記杭（１）の周囲に形成した内側被膜材（２）と、前記内側被膜材（２）に重ねて形成した外側被膜材（３）と、を備え、前記外側被膜材（３）は、前記杭（１）が前記廃棄物層（Ａ）を貫通する際は、前記内側被膜材（２）と一体となって前記杭（１）から剥離することがなく、前記遮水基盤層（Ｂ）内を貫通させる際に容易に剥離されやすい材質を形成したものであり、前記内側被膜材（２）は、前記杭（１）が前記遮水基盤層（Ｂ）内を貫通し、前記透水性地層（Ｃ）に打ち込まれる際には、剥離しない材質を形成したものであり、打設後は吸水膨張すると共に、検針員・集金員による商品販売方法圧密沈下のような非常に遅い変形速度に対しては容易に剥離されやすい材質を形成したものである、ことを特徴とする多重被膜材から成る杭構造が提供される。
前記杭（１）に形成した内側被膜材（２）より狭い範囲に前記外側被膜材（３）を形成した。
【００１８】
前記外側被膜材（３）はアスファルト又はゴムである。前記内側被膜材（２）は吸水ポリマーである。
【発明の効果】
【００１９】
上記発明では、変形性能が異なる外側被膜材（３）と内側被膜材（２）について、その打設速度をコントロールし、又は杭（１）を温度制御することにより、表層の廃棄物層（Ａ）から遮水基盤層（Ｂ）を貫通して杭（１）を打設しても、廃棄物層（Ａ）内の汚染水や有害物質を連込むことなく、杭（１）を打設することができる。
【００２０】
一方、杭（１）の打設完了後は、遮水基盤層（Ｂ）内で水と反応して内側被膜材（２）が吸水して膨張し、杭（１）と遮水基盤層（Ｂ）との間に生じた隙間を生め、止水効果を奏する。更に、遮水基盤層（Ｂ）の圧密沈下のような非常に遅い変位に対しては、内側被膜材（２）が杭（１）への負の摩擦力（ネガティブフリクション）も除去することができる。
【００２１】
また、杭（１）の側面部から遮水基盤層（Ｂ）における汚染水や有害物質の浸出状態を検査することで、汚染水の浸出状況を容易に把握することができる。同様に、杭（１）の先端部から透水性地層（Ｃ）における汚染水の浸出状態を検査することで、汚染水や有害物質の浸出状況を容易に把握することができる。
【発明を実施するための最良の形態】
【００２２】
以下、本発明の好ましい実施の形態を図面を参照して説明する。
本発明は、杭の周囲に粘性等の材質の異なる内側被膜材と外側被膜材とを形成したものである。この杭は、廃棄物処分場の跡地において、表層の廃棄物層から粘性土のような遮水基盤層を貫通して支持地盤となる透水性地層まで打ち込む打設方法である。このとき杭の打設速度をコントロールすることにより、廃棄物層と粘性土層を貫通して杭を打設しても、廃棄物層内の汚染水や有害物質を連込むことがない。
【実施例１】
【００２３】
図１は本発明の多重被膜材から成る杭構造を示す断面図である。図２は本発明の多重被膜材から成る杭の打設方法の第一の実施例を示す説明図である。
本発明の多重被膜材から成る杭の打設方法は、廃棄物処分場の跡地において、廃棄物層Ａ及び粘性土のような遮水基盤層Ｂを貫通して支持地盤となる透水性地層Ｃまで杭１を打ち込む打設方法である。
【００２４】
本発明の杭１は、その周囲に内側被膜材２を形成し、この内側被膜材２に重ねて外側被膜材３を形成した杭構造からなるものである。この内側被膜材２と外側被膜材３とは異なる材質で形成されたものである。即ち、内側被膜材２と外側被膜材３とは、変形速度や温度等の外的要因により変形性能が異なる物質である。この杭１の全長は、廃棄物処分場の跡地における廃棄物層Ａから遮水基盤層Ｂ、透水性地層Ｃまでの深さに応じて決定されるものであり、例えば廃棄物層Ａが１５ｍ、遮水基盤層Ｂが１５ｍ〜３０ｍ、透水性地層Ｃへ数ｍ程度の杭根入のときは約３０ｍ〜５０ｍ程度になる。また、杭１の直径は、６０ｃｍ〜１５０ｃｍ程度である。この杭１周囲に対して内側被膜材２を全面に形成し、更に外側被膜材３も内側被膜材２の全面に形成する。また、この杭１周囲に対して内側被膜材２に対して部分的に形成し、更に外側被膜材３も内側被膜材２の部分的に形成することができる。但し、内側被膜材２と外側被膜材３とは杭１の下端（打設方向先端）から形成する必要がある。
【００２５】
外側被膜材３は、早い打設速度では変形せず、遅い速度で変形するような材質を形成したものである。勿論、杭１の運搬、打設によっては剥がれない程度の強度を有することが必要である。その膜厚としては５ｍｍ程度に形成することが望ましい。但し、この膜厚    限定されないことは勿論である。この外側被膜材３としては、杭１の周囲に粘性の高いアスファルトを塗布したもの、周囲に粘性の高い合成樹脂材を塗布したもの、又は杭１の周囲にはゴム製の筒材を挿入したもの等がある。
【００２６】
この外側被膜材３は、打設している杭１が廃棄物層Ａを貫通し、遮水基盤層Ｂ内を貫通している際に容易に剥離されやすい材質を形成したものであれば、これらアスファルト、合成樹脂材又はゴム製の筒材に限定されない。その他の材質のものを使用することができる。
【００２７】
一方、内側被膜材２は、ある程度遅い打設速度でも変形せず、非常に遅い速度で変形するような材質で形成したものである。また、任意時間後には、水を吸収して膨張するようなものである。この内側被膜材２も、杭１の運搬、打設によっては剥がれない程度の強度を有することが必要である。この内側被膜材２の膜厚は、外側被膜材３と同様に５ｍｍ程度に形成することが望ましい。但し、この膜厚に限定されないことは勿論である。この内側被膜材２としては、例えば杭１の周囲に吸水ポリマーを塗布したものがある。なお、透水性地層Ｃへ打設する際に、この内側被膜材２が剥離することは問題ではない。
【００２８】
この内側被膜材２は、打設している杭１が遮水基盤層Ｂ内を貫通し、透水性地層Ｃに打ち込まれたときに、剥離しない材質を形成したものであれば、このような吸水ポリマーに限定されず、合成樹脂材等のその他の材質のものを使用することができる。
【００２９】
次に、このように構成した多重被膜材から成る杭の打設方法を説明する。まず、図２のＳＴＥＰ１の「打設前」に示すような多重被膜材から成る杭１は、ＳＴＥＰ２の「廃棄物層打設中」に示すように、この状態から廃棄物処分場の跡地における表層の廃棄物層Ａに貫通させるように打設する。このときは、杭１周囲の外側被膜材３と内側被膜材２が共に剥離されず一体となって貫入される。このときの貫入速度は、廃棄物層Ａにおける摩擦抵抗に応じて決定される。また、外側被膜材３と内側被膜材２が軟化する温度も考慮される。
【００３０】
図２のＳＴＥＰ３の「粘性土層打設中」に示すように、廃棄物層Ａを貫通させた杭１は、粘性土層のような遮水基盤層Ｂ内に貫入するように打設する。このときは、杭１周囲の外側被膜材３は剥離して遮水基盤層Ｂに連れ込まれずに廃棄物層Ａに残留させ、内側被膜材２のみが遮水基盤層Ｂへ貫入させる。上述したＳＴＥＰ２の「廃棄物層打設中」のときの廃棄物層Ａに打設するときより遅い速度で遮水基盤層Ｂにこの杭１を打設する。即ち、内側被膜材２と外側被膜材３との密着力より、外側被膜材３と廃棄物層Ａとの摩擦抵抗が勝って、内側被膜材２から外側被膜材３を剥離させる程度の速度で遮水基盤層Ｂにこの杭１を打設する。
【００３１】
最後に、図２のＳＴＥＰ４の「打設完了、圧密沈下時」に示すように、遮水基盤層Ｂが圧密し、廃棄物層Ａと遮水基盤層Ｂとが非常に遅い速度で沈下する際には、杭１と内側被膜材２との密着力により内側被膜材２と遮水基盤層Ｂ、廃棄物層Ａと外側被膜材３との摩擦（粘性）抵抗が勝って、杭１から内側被膜材２を剥離させ、杭１にネガティブフリクションを作用させない。
【００３２】
内側被膜材２に吸水ポリマーを塗布した場合は、遮水基盤層Ｂを抜けた杭１における内側被膜材２を、遮水基盤層Ｂにおいて吸水膨潤させる。これにより、杭１と遮水基盤層Ｂとの間に生じた隙間を生め、止水効果を奏することができる。なお、この内側被膜材２を透水性地層Ｃにおいても吸水膨潤させることができる。
【００３３】
上述した内側被膜材２と外側被膜材３がそれぞれ必要とする機能について、表１に示した。速い打設速度では、内側被膜材２と外側被膜材３共に変形しない。遅い打設速度では、外側被膜材３は変形するが、内側被膜材２は変形しない。更に、非常に遅い変形速度では、内側被膜材２は変形する。因みに、杭１の打設速度は１〜１０ｍ／分の範囲内で調節する。例えば、中掘り工法では速い打設速度は２ｍ／分程度になり、また打撃工法では速い打設速度は７ｍ／分程度になる。これらの速度を基準に遅い打設速度を設定する。
【００３４】
【表１】
2005139747.tif 000003
【００３５】
なお、杭１本体の先端部が開放されているものは、杭１が廃棄物層Ａを貫通した時点で杭１の内部を洗浄する必要がある。杭１本体の先端部が開放されていないものは、先端部に傾斜を付け、この部分に杭１周面と同様に、内側被膜材２と外側被膜材３とを形成しておく必要がある。
【実施例２】
【００３６】
上述した杭の打設方法では、杭１周囲の材質の異なる内側被膜材２と外側被膜材３の剥離の順番を可変させるために、打設速度を変化させている。しかし、本発明の第二の実施例のように、廃棄物層Ａに貫通させる際に、杭１周囲の外側被膜材３と内側被膜材２が共に剥離されず一体となって貫入されるように杭１を冷却しながら打設した後に、廃棄物層Ａを貫通させた杭１を、遮水基盤層Ｂ内を貫通させる際に、杭１周囲の外側被膜材３は剥離して遮水基盤層Ｂに連れ込まれずに廃棄物層Ａに残留するように、杭１をその内部から加温しながら打設することも可能である。
【００３７】
このように杭１を加温することによって、杭１周面の外側被膜材３が軟化し、内側被膜材２と外側被膜材３との密着力が低下し、摩擦（粘性）抵抗の低下した外側被膜材３が剥離していく。また、化学変化により内側被膜材２と外側被膜材３を剥離させるようにすることができる。
【００３８】
本発明では、杭１の打設完了後に遮水基盤層Ｂ内で水と反応して内側被膜材２が吸水して膨張し、杭１と遮水基盤層Ｂとの間に生じた隙間を生め、止水効果を高めている。この止水効果が高いか否かについては、杭１の先端部から透水性地層Ｃにおける汚染水や有害物質の浸出状態を検査することで、汚染水や有害物質の浸出状況を容易に把握することができる。同様に、杭１の側面部から遮水基盤層Ｂにおける汚染水や有害物質の浸出状態を検査することができる。
【００３９】
なお、本発明は、杭１の打設速度を変化させ、又は杭１内部の温度変化を利用することにより、杭１周囲の材質の異なる内側被膜材２と外側被膜材３の剥離の順番を可変させる方法であれば、上述した発明の実施の形態に限定されず、本発明の要旨を逸脱しない範囲で種々変更できることは勿論である。
【産業上の利用可能性】
【００４０】
本発明は、処分場跡地の廃棄物層と遮水基盤層を貫通して杭を打設しても、廃棄物層内の有害物質を連込むことがないので、この処分場の遮水工の健全度を保ちつつ、処分場跡地の有効かつ高度な利用を図ることができる。
【００４１】
杭の打設完了後は、遮水基盤層内で水と反応して内側被膜材が吸水して膨張し、杭と遮水基盤層との間に生じた隙間を生め、止水効果を発揮することができるので、杭と遮水基盤層との間に隙間から汚染水が処分場外へ浸出することを防止することができるために、廃棄物処分場の跡地に構造物を構築する場合にも、杭を用いた構造物に構築することができ、跡地の高度かつ有効利用を図ることができる。
【００４２】
また、遮水基盤層の圧密沈下のような非常に遅い変位に対しては、内側被膜材が杭への負の摩擦力（ネガティブフリクション）も除去することができる。
【図面の簡単な説明】
【００４３】
【図１】本発明の多重被膜材から成る杭構造を示す断面図である。
【図２】本発明の多重被膜材から成る杭の打設方法の第一の実施例を示す説明図である。
【図３】廃棄物処分場の跡地の有効利用としてビル、橋梁等の新設の構造物を構築する状態を示す説明断面図である。
【図４】廃棄物処分場の跡地において杭の打設に伴い杭周面に廃棄物及び汚染物質が付着して、遮水基盤及び遮水基盤外へ有害物質が連れ込まれる状態を示す説明断面図である。
【符号の説明】
【００４４】
１  杭（杭構造）
２  内側被膜材
３  外側被膜材
Ａ  廃棄物層
Ｂ  遮水基盤層
Ｃ  透水性地層
【図１】
2005139747.tif 000004
【図２】
2005139747.tif 000005
【図３】
2005139747.tif 000006
【図４】
2005139747.tif 000007